(57)【要約】【課題】突極型リニアモータ及び突極型リニアモータを有する往復式ダブルピストン圧縮機を提供する。【解決手段】本発明に係る突極型リニアモータは、筐体と、固定子と、可動子と、複数のコイルユニットとを備え、この固定子は、中間の固定子鉄心及び両側の固定子鉄心から構成されるものであり、さらにそれらには内向きに突出するペアになる複数の磁極を有し、複数のコイルユニットは、前後に磁極の上に巻き付けられ、これにより、前後のコイルユニットに電流を順次印加する時に、磁極の上に巻き付けられたコイルユニットから生じる磁界により、磁極を介して可動子が固定子の中心軸向きに沿って往復直線運動するように引き付けられるように構成される。突極型リニアモータの両端には、さらにダブルピストンを有する圧縮機が連結され、圧縮機シリンダ内の気体圧縮や、流体連動等により、リニアモータと連動する往復式ダブルピストン圧縮機が構成される。【選択図】図１
2014036569.tif 000002
【特許請求の範囲】
【請求項１】
筐体と、前記筐体内に設置される固定子と、複数のコイルユニットと、可動子と、を備える突極型リニアモータであって、
前記固定子は、中間の固定子鉄心及び両側の固定子鉄心から構成され、かつ前記固定子の中心軸向きに沿って連結されるものであり、前記中間の固定子鉄心及び前記両側の固定子鉄心には、さらに内向きに突出するペアになる複数の磁極を有し、
前記複数のコイルユニットは、前記複数の磁極の上に巻き付けられ、
前記可動子は、軸杆及び複数の突極を有し、前記軸杆は、前記中心軸向きに沿って前記固定子内を移動可能に貫通することによって、前記複数のコイルユニットに電流を順次印加する時に、前記複数の磁極の上に巻き付けられた前記複数のコイルユニットから生じる磁界により、前記複数の磁極を駆動して前記可動子が前記固定子の前記中心軸向きに沿って往復直線運動するように引き付けられることを特徴とする、突極型リニアモータ。
【請求項２】
前記中間の固定子鉄心の前記複数の磁極の位置は、前記両側の固定子鉄心の前記複数の磁極の位置にそれぞれ対応することにより、前記両側の固定子鉄心の前記複数の磁極が前記中心軸向きに沿って交差配列または相対的位置に取り付けられるようにすることを特徴とする、請求項１に記載の突極型リニアモータ。
【請求項３】
筐体と、前記筐体内に設置される固定子と、複数のコイルユニットと、可動子と、ピストンを有する複数の圧縮機シリンダと、を備える突極型リニアモータを有する往復式ダブルピストン圧縮機であって、
前記固定子は、中間の固定子鉄心及び両側の固定子鉄心から構成され、かつ前記固定子の中心軸向きに沿って連結されるものであり、前記中間の固定子鉄心及び前記両側の固定子鉄心には、さらに内向きに突出するペアになる複数の磁極を有し、
前記複数のコイルユニットは、前記複数の磁極の上に巻き付けられ、
前記可動子は、軸杆及び複数の突極を有し、その内、前記軸杆は、前記中心軸向きに沿って前記固定子内を移動可能に貫通することによって、前記複数のコイルユニットに電流を順次印加する時に、前記複数の磁極の上に巻き付けられた前記複数のコイルユニットから生じる磁界により、前記複数の磁極を駆動して前記可動子が前記固定子の前記中心軸向きに沿って往復直線運動するように引き付けられ、
前記複数の圧縮機シリンダの当該ピストンは、前記可動子の前記軸杆の両端にそれぞれ連結されることを特徴とする、突極型リニアモータを有する往復式ダブルピストン圧縮機。
【請求項４】
前記中間の固定子鉄心の前記複数の磁極の位置は、前記両側の固定子鉄心の前記複数の磁極の位置にそれぞれ対応することにより、前記両側の固定子鉄心の前記複数の磁極が前記中心軸向きに沿って交差配列または相対的位置に取り付けられるようにすることを特徴とする、請求項３に記載の突極型リニアモータを有する往復式ダブルピストン圧縮機。
【請求項５】
前記複数の圧縮機シリンダは、さらに複数の給気逆止弁及び複数の排気逆止弁を備えることを特徴とする、請求項３に記載の突極型リニアモータを有する往復式ダブルピストン圧縮機。
【発明の詳細な説明】
【技術分野】
【０００１】
本発明は、突極型リニアモータ及び突極型リニアモータを有する往復式ダブルピストン圧縮機に関する。特に、固定子鉄心の磁極を固定子のうちの前後に配列することにより、前後の磁極上のコイルから生じる磁界を駆動して磁極を介して可動子が固定子の中心軸向きに沿って往復直線運動するように引き付けられるように構成するモータに関するものである。また、係る突極型リニアモータの両端には、さらにダブルピストンを有する圧縮機が連結され、圧縮機シリンダ内の気体圧縮や、流体連動等により、リニアモータと連動する往復式ダブルピストン圧縮機が構成されるものである。
【背景技術】
【０００２】
従来の回転型スイッチトリラクタンスモータ（ｓｗｉｔｃｈｅｄ  ｒｅｌｕｃｔａｎｃｅ  ｍｏｔｏｒ，ＳＲＭ）は、閉磁力線が最小磁気抵抗の経路に追従する特性を用いて、磁力回路中の両導磁材料を最小磁気抵抗の方向に移動するようにさせることから、移動可能な導磁材料を固定な導磁材料に向って移動するように推進すると、生じる互いに吸引する磁気吸引力をモータの駆動モーメントの元としているために、この種のねじりモーメントの原理によってモータの回転子及び固定子を突極状態になるようにさせ、回転子上には励磁磁界巻線がないものや、永久磁石等であり、導磁性に優れた鉄心のみを必要とすればよいことから、構造コストを大幅に引き下げることができるため、トリラクタンスモータは、構造が簡単で、小型、また高回転速度等優れた特徴を生かし、多くの分野での使用が期待されている。
【０００３】
従来の往復式圧縮機による気体の圧縮循環や液体の連動を達成するには、より大きいモータ推進力が必要である。しかしながら、一般的な筒状型リニアモータは、圧縮機全体の体積制限に限定され、上記のような高駆動力の要求を満たすことができず、従来の往復式圧縮機でなければ、十分な駆動力が得られない。そして、従来の往復式圧縮機は、主に回転式モータによりクランク（Ｃｒａｎｋ）を連動し、クランクリンク機構を介してピストンを推進させることによって、シリンダ内の気体が圧縮や、流体が連動するようにし、必要な圧力が得られる。
【発明の概要】
【発明が解決しようとする課題】
【０００４】
しかしながら、この種の従来の回転式モータにより連動された往復式圧縮機は、低コストや、広い作動範囲等の利点を有するが、ピストンで圧縮する過程において、回転式モータにより連動された直線運動するピストンが側方力を生じ、シリンダの壁面が摩耗してしまい、間接的にノイズ、振動及び高機械損失が発生する等の問題が引き起こされ、システム全体の効率が影響を受けてしまうことになる。潤滑剤を使用すれば、上述した問題を軽減することもできるが、かえって、潤滑油によって圧縮された気体や流体が汚染される問題が発生する。
【課題を解決するための手段】
【０００５】
本発明は、上述した従来技術の問題点に鑑みてなされたもので、その目的としては、固定子の磁極の前後配列方式を用いて、磁極上のコイルを駆動することと合わせることで、突極型可動子が往復直線運動するように駆動されて両端の圧縮機のピストンが連動する突極型リニアモータ及び突極型リニアモータを有する往復式ダブルピストン圧縮機を提供することにある。
本発明のリニアモータにより、圧縮機を連動させることで、固定子の磁極上に形成されたコイルの磁束密度が高く、生じる磁気駆動力が強いのみならず、そのほかに突極可動子構造としては、導磁性に優れた材料や、永久磁石等を使用することができるので、構造部品が簡単な構成で製造コストを大幅に低減することができ、かつ可動子の運動方向が直線に沿って往復運動するため、ピストン運動時に発生する側方力を低減させることができ、摩擦損耗も減らすことができることから、高機械強度、低機械損失、低ノイズ及び高効率が達成できる。
【０００６】
また、本発明の別の目的に従って、本発明は、一種の突極型リニアモータを提供し、この突極型リニアモータは、少なくとも筐体と、固定子と、可動子と、複数のコイルユニットと、を備えるように構成される。
【０００７】
その内、固定子は、筐体内に設置される。この固定子は、中間の固定子鉄心及び両側の固定子鉄心から構成され、かつ固定子の中心軸向きに沿って連結されるものである。その内、中間の固定子鉄心及び両側の固定子鉄心には、さらに内向きに突出するペアになる複数の磁極を有する。また、中間の固定子鉄心の磁極の位置は、両側の固定子鉄心の磁極の位置にそれぞれ対応することにより、両側の固定子鉄心の磁極が中心軸向きに沿って交差配列または相対的位置に取り付けられるようにしている。そして、複数のコイルユニットは、前後の磁極の上に巻き付けられるようにする。また、中間の固定子鉄心は、選択的に両側の固定子鉄心と一体成形されるか、または、中間の固定子鉄心は、両側の固定子鉄心のうちの１つと一体成形される。
【０００８】
続いて、この突極型リニアモータの可動子は、軸杆及び複数の突極を有する。その内、軸杆は、中心軸向きに沿って固定子内を移動可能に貫通する。これらの突極は、中間の固定子鉄心の磁極の数量と同一の数量設けられるとともに、突極の位置は、中間の固定子鉄心の磁極の位置にそれぞれ対応する。これにより、前後のコイルユニットに電流を順次印加する時に、前後に磁極の上に巻き付けられた前後のコイルユニットから生じる磁界により、磁極を駆動して可動子が固定子の中心軸向きに沿って往復直線運動するように引き付けられるようにする。
【０００９】
また、この突極型リニアモータは、中間の固定子鉄心及び／或いは両側の固定子鉄心を単位にして固定子の長さを延長するとともに、可動子の突極の長さと合わせて増やすことで、可動子の運動行程を増大する。さらに、可動子の突極及び固定子鉄心の磁極の数量を増加することで、磁極に対する可動子の磁気吸引力を増強することによって、モータの駆動力を効率的に高めることができる。
【００１０】
本発明のさらにもう一つの目的に従って、一種の突極型リニアモータを有する往復式ダブルピストン圧縮機を提供する。この突極型リニアモータを有する往復式ダブルピストン圧縮機は、少なくとも筐体と、固定子と、可動子と、複数のコイルユニットと、複数の圧縮機シリンダと、を備えるように構成される。
【００１１】
この突極型リニアモータは、さらにピストンを有する複数の圧縮機シリンダと連結される。その内、圧縮機シリンダのピストンは、可動子の軸杆の両端にそれぞれ連結され、圧縮機シリンダ内の気体が圧縮や、流体が連動するようになされている。この突極型リニアモータの固定子鉄心の前後の磁極上の駆動コイルを用いて、コイル内に電気エネルギーを通過することで磁気エネルギーの変化により、直接に直線運動するための機械エネルギーに変換されて出力されるので、変換伝動機構或いは機具を付設する必要がなく、直接に可動子を往復直線運動するように駆動されるので、ピストン運動時に発生する側方力を低減させることができるだけでなく、摩擦損耗も減らすことができることから、高機械強度、低機械損耗、低ノイズ及び高効率が達成される。
【発明の効果】
【００１２】
以上に述べたように、本発明の突極型リニアモータ及びそれを有する往復式ダブルピストン圧縮機によれば、少なくとも下記の１つの利点を有する。
（１）本発明の突極型リニアモータは、中間の固定子鉄心及び両側の固定子鉄心を単位とすることにより、固定子の長さを延長するとともに、可動子の突極の長さと合わせて増やすことで、可動子の運動行程が増大することができる。
【００１３】
（２）本発明の突極型リニアモータは、可動子の突極の数量及び固定子鉄心の磁極の数量を増加することで、磁極に対する可動子の磁気吸引力を増強することによって、モータの駆動力を効率的に高めることができる。
【００１４】
（３）本発明の突極型リニアモータは、さらにピストンを有する複数の圧縮機シリンダと連結され、この突極型リニアモータの可動子の往復直線運動により、ピストン運動時に発生する側方力を低減させることができるだけでなく、摩擦損耗も減らすことができることから、高機械強度、低機械損耗、低ノイズ及び高効率が達成される。
【００１５】
（４）本発明の突極型リニアモータにより、固定子の磁極上に形成されたコイルの磁束密度が高く、生じる磁気駆動力が強いのみならず、そのほかに突極可動子構造としては、導磁性に優れた材料や、永久磁石等を使用することができるので、構造部品が簡単な構成で製造コストを大幅に低減することができる。
【００１６】
（５）本発明の突極型リニアモータは、両側の圧縮機から離れるように設計されており、両側の圧縮機に圧縮された気体や、流体等は、モータ本体中を流せず、モータの磁気力は、圧縮された気体や、流体による高温に影響されて駆動力を低減させることなく、そのため、各種のサイズ及び各種の圧縮力の要求に応じて設計することができるとともに、危険かつ特殊な化学気体または流体を伝送するために使用されることが可能となる。
【００１７】
（６）本発明の突極型リニアモータの構造部品が簡単で、かつ固定子のコイルが突極可動子を駆動して運動させ、即ち、直接に往復直線運動するので直線性が極めて高く、圧縮機がオイルレスに設計できるため、とても省エネルギー仕様及び高効率的な設計である。
【００１８】
本発明をより完全に理解するために、その技術特徴及び達成できる作用効果については、好適な実施例を照らして詳細に説明する。
【図面の簡単な説明】
【００１９】
【図１】本発明の突極型リニアモータを示す分解透視図である。
【図２】本発明の突極型リニアモータを示す正面図である。
【図３Ａ】本発明の突極型リニアモータにおいて第１のコイルユニットに電流が印加される状態を示す概略透視図である。
【図３Ｂ】本発明の突極型リニアモータにおいて第２のコイルユニットに電流が印加される状態を示す概略透視図である。
【図４Ａ】本発明の突極型リニアモータにおいて固定子の長さを延長するとともに、第３のコイルユニットに電流が印加される状態を示す概略透視図である。
【図４Ｂ】本発明の突極型リニアモータにおいて固定子の長さを延長するとともに、第１のコイルユニットに電流が印加される状態を示す概略透視図である。
【図４Ｃ】本発明の突極型リニアモータにおいて固定子の長さを延長するとともに、第２のコイルユニットに電流が印加される状態を示す概略透視図である。
【図５】本発明の突極型リニアモータの両端に圧縮機シリンダが連結される状態を示す断面図である。
【図６Ａ】本発明の突極型リニアモータを有するダブルピストン圧縮機セットの二組みが直列に接続されており、ピストンを両側に向けて相対的に運動する状態を示す断面図である。
【図６Ｂ】本発明の突極型リニアモータを有するダブルピストン圧縮機セットの二組みが直列に接続されており、ピストンを中間に向けて相対的に移動する状態を示す断面図である。
【図７】本発明の突極型リニアモータにおいて末端の磁気力を増強する状態を示す概略透視図である。
【発明を実施するための形態】
【００２０】
以下、添付図面を参照しながら、本発明の突極型リニアモータ及び突極型リニアモータを有する往復式ダブルピストン圧縮機の実施例について説明する。なお、下記実施例において、同一の部品は同一の符号を付して説明する。
【００２１】
本発明の突極型リニアモータは、固定子に前後の固定子鉄心の磁極を配置するとともに、磁極上にコイルを配置形成する。前後のコイルから生じる磁界により、閉磁力線が最小磁気抵抗の経路に追従する特性を利用し、可動子が最小磁気抵抗の方向に移動するようにさせることから、直線運動する突極型リニアモータが構成される。さらに、従来技術において説明した伝統的な回転モータは、リンク機構と合わせてピストンが連動するような駆動方法に代えて、この突極型リニアモータを用いて、ダブルピストン双経路に流体が出入りしたり、気体が圧縮したりするように設計された圧縮機を駆動することができる。
【００２２】
図１は、本発明の突極型リニアモータの分解透視図を示す。図１を参照すると、この突極型リニアモータは、少なくとも筐体４００と、固定子と、可動子３００と、複数のコイルユニットと、を備えるように構成される。
【００２３】
その内、固定子は、筐体４００内に設置され、この筐体４００上には、さらに複数の放熱体４１０が設置され、この放熱体４１０は、例えばヒートシンクや他の筐体４００からの放熱を補助するような部品を使用してもよい。さらに、複数のねじ４３０及び蓋体４２０を用いて、筐体４００の両端を覆うようにする。固定子は、中間の固定子鉄心１００と、前固定子鉄心１１０及び後固定子鉄心１２０から構成され、かつ固定子の中心軸向きに沿って連結されるものである。これらの中間の固定子鉄心１００と、前固定子鉄心１１０及び後固定子鉄心１２０の材質としては、例えば鉄、珪素鋼板または他の導磁性材料が挙げられる。また、中間の固定子鉄心１００は、選択的に前固定子鉄心１１０及び後固定子鉄心１２０と一体成形されるか、または、中間の固定子鉄心１００は、前固定子鉄心１１０及び後固定子鉄心１２０のいずれかの一方と一体成形される。言い換えれば、本発明の極型リニアモータは、中間の固定子鉄心１００が配置されなくてもよく、直接に前固定子鉄心１１０及び後固定子鉄心１２０の磁極を中心軸向きに沿って交差配列または相対的位置に配列するように設計されてもよい。
【００２４】
続いて、中間の固定子鉄心１００には、さらに内向きに突出するペアになる第１の磁極ユニット１０１及び第２の磁極ユニット１０２を有し、これらの第１の磁極ユニット１０１及び第２の磁極ユニット１０２の数量は、例えばそれぞれが２個、３個或いは４個であってもよく、但し、この限りでない。前固定子鉄心１１０及び後固定子鉄心１２０には、それぞれ内向きに突出するペアになる第３の磁極ユニット１１１及び第４の磁極ユニット１２１を有し、これらの第３の磁極ユニット１１１及び第４の磁極ユニット１２１の数量は、例えばそれぞれが２個、３個或いは４個であってもよく、但し、この限りでない。また、中間の固定子鉄心１００の磁極は、例えばそれぞれ前固定子鉄心１１０及び後固定子鉄心１２０の磁極の数量合計と同一の数量であってもよい。言い換えれば、第１の磁極ユニット１０１及び第２の磁極ユニット１０２の数量合計は、第３の磁極ユニット１１１及び第４の磁極ユニット１２１の数量合計と同様である。
【００２５】
引き続き、第１の磁極ユニット１０１の位置は、例えば第４の磁極ユニット１２１の位置に対応してもよく、第２の磁極ユニット１０２の位置は、例えば第３の磁極ユニット１１１の位置に対応してもよい。これにより、第３の磁極ユニット１１１及び第４の磁極ユニット１２１を固定子の中心軸向きに沿って交差配列されるようにさせる。また、第１のコイルユニット１３０は、第２の磁極ユニット１０２及び第３の磁極ユニット１１１の上に巻き付けられ、第２のコイルユニット１４０は、第１の磁極ユニット１０１及び第４の磁極ユニット１２１の上に巻き付けられる。
【００２６】
続いて、この突極型リニアモータの可動子３００は、軸杆３２０及び複数の突極３１０を有する。その内、可動子３００の材質としては、例えば鉄、珪素鋼板、永久磁石または他の導磁性材料が挙げられる。これらの突極３１０は、中間の固定子鉄心１００の磁極の数量と同一の数量設けられる。言い換えれば、第１の磁極ユニット１０１及び第２の磁極ユニット１０２の数量合計が４個であれば、突極３１０の数量が４個となる。その内、軸杆３２０は、中心軸向きに沿って固定子内を移動可能に貫通し、かつこの軸杆３２０は蓋体４２０から突出している。なお、突極３１０の位置は、第１の磁極ユニット１０１及び第２の磁極ユニット１０２の位置に対応する。
【００２７】
そのため、第１のコイルユニット１３０に電流を印加する時に、第２の磁極ユニット１０２及び第３の磁極ユニット１１１の上に巻き付けられた第１のコイルユニット１３０から生じる磁界により、可動子３００が固定子の中心軸向きに沿って第２の磁極ユニット１０２及び第３の磁極ユニット１１１の位置に向けて移動するように引き付けられる。一方、第２のコイルユニット１４０に電流を印加する時に、第１の磁極ユニット１０１及び第４の磁極ユニット１２１の上に巻き付けられた第２のコイルユニット１４０から生じる磁界により、可動子３００が固定子の中心軸向きに沿って第１の磁極ユニット１０１及び第４の磁極ユニット１２１の位置に向けて移動するように引き付けられる。これにより、第１のコイルユニット１３０及び第２のコイルユニット１４０に電流を順次印加する時には、磁極を駆動して可動子３００が固定子の中心軸向きに沿って往復直線運動するように引き付けられることが可能となる。
【００２８】
また、この突極型リニアモータは、中間の固定子鉄心１００、前固定子鉄心１１０及び／或いは後固定子鉄心１２０を単位にして固定子の長さを延長するとともに、可動子３００の突極３１０の長さと合わせて増やすことで、可動子３００の運動行程を増大する。さらに、この突極型リニアモータは、可動子３００の突極３１０の数量及び固定子鉄心の磁極の数量を増加することで、磁極に対する可動子３００の磁気吸引力を増強することによって、モータの駆動力を効率的に高めることができる。
【００２９】
図２は本発明の突極型リニアモータの正面図を示す。図面簡略化のために、筐体４００、放熱体４１０、蓋体４２０及びねじ４３０は図示されていない。
【００３０】
続いて、図１及び図２を参照すると、この突極型リニアモータの第１のコイルユニット１３０は、第２の磁極ユニット１０２及び第３の磁極ユニット１１１の上に巻き付けられ、第２のコイルユニット１４０は、第１の磁極ユニット１０１及び第４の磁極ユニット１２１の上に巻き付けられる。これにより、第１のコイルユニット１３０及び第２のコイルユニット１４０に電流を順次印加する時には、磁気力により磁極を駆動して可動子３００が固定子の中心軸向きに沿って往復直線運動するように引き付けられることが可能となる。
【００３１】
図３Ａ、図３Ｂは、本発明の突極型リニアモータを示す概略透視図である。図３Ａ、図３Ｂを参照すると、この突極型リニアモータが組み立てられた後に、第２の磁極ユニット１０２及び第３の磁極ユニット１１１を共に組み合わせて第１の磁極２１０として構成され、第１の磁極ユニット１０１及び第４の磁極ユニット１２１を共に組み合わせて第２の磁極２２０として構成される。
【００３２】
そのため、図３Ａに示すように、第１のコイルユニット１３０に電流を印加する時に、第１の磁極２１０の上に巻き付けられた第１のコイルユニット１３０から生じる磁界により、可動子３００が固定子の中心軸向きに沿って第１の磁極２１０の位置に向けて移動するように引き付けられる。図３Ｂに示すように、第２のコイルユニット１４０に電流を印加する時に、第２の磁極２２０の上に巻き付けられた第２のコイルユニット１４０から生じる磁界により、可動子３００が固定子の中心軸向きに沿って第２の磁極２２０の位置に向けて移動するように引き付けられる。これにより、第１のコイルユニット１３０及び第２のコイルユニット１４０に電流を順次印加する時には、磁束は、磁極を介して可動子３００が固定子の中心軸向きに沿って往復直線運動するように引き付けられることが可能となる。
【００３３】
図４Ａ〜４Ｃは、本発明の突極型リニアモータにおいて固定子の長さを延長することを示す概略透視図である。図面簡略化のために、筐体４００、放熱体４１０、蓋体４２０及びねじ４３０は図示されていない。
【００３４】
引き続き、図３Ａ、図３Ｂ及び図４Ａ〜４Ｃを参照すると、この突極型リニアモータは、さらに第３の磁極２００を第１の磁極２１０の前に連結させ、第３のコイルユニット１５０は、第３の磁極２００の上に巻き付けられる。図４Ａに示すように、第３のコイルユニット１５０に電流を印加する時に、第３の磁極２００の上に巻き付けられた第３のコイルユニット１５０から生じる磁界により、可動子３００が固定子の中心軸向きに沿って第３の磁極２００の位置に向けて移動するように引き付けられる。
【００３５】
続いて、図４Ｂに示すように、第１のコイルユニット１３０に電流を印加する時に、第１の磁極２１０の上に巻き付けられた第１のコイルユニット１３０から生じる磁界により、可動子３００が固定子の中心軸向きに沿って第１の磁極２１０の位置に向けて移動するように引き付けられる。
【００３６】
引き続き、図４Ｃに示すように、第２のコイルユニット１４０に電流を印加する時に、第２の磁極２２０の上に巻き付けられた第２のコイルユニット１４０から生じる磁界により、可動子３００が固定子の中心軸向きに沿って第２の磁極２２０の位置に向けて移動するように引き付けられる。
【００３７】
そのため、第１のコイルユニット１３０、第２のコイルユニット１４０及び第３のコイルユニット１５０に電流を順次印加する時には、磁極を駆動して可動子３００が固定子の中心軸向きに沿って往復直線運動するように引き付けられることによって、可動子３００の運動行程が増大される。
【００３８】
図５は、本発明の突極型リニアモータの両端に圧縮機シリンダが連結される状態の断面図を示す。図５を参照すると、８個の突極３１０の可動子３００を例として、この突極型リニアモータは、さらにピストン５１０を有する圧縮機シリンダ５００と連結され、この圧縮機シリンダ５００の上には、さらに複数の放熱体４１０が設置され、この放熱体４１０は、例えばヒートシンクや他の筐体４００からの放熱を補助するような部品を使用してもよい。圧縮機シリンダ５００のピストン５１０は、例えば可動子３００の軸杆３２０の両端にそれぞれ連結され、圧縮機シリンダ５００内の気体が圧縮や、流体が連動するようになされている。
【００３９】
続いて、この圧縮機シリンダ５００は、例えば、４個の給気逆止弁５２０及び４個の排気逆止弁５３０をさらに備えるように構成される。第１のコイルユニット１３０に電流を印加する時に、第１の磁極２１０により、可動子３００が両側のピストン５１０を左向きに圧縮させて連動させるように引き付けられることによって、両側の圧縮機シリンダ５００の左下の排気逆止弁５３０が開放され、圧縮された気体や、流体等を圧縮機シリンダ５００の左下の排気逆止弁５３０から排出させる。同時に、両側の圧縮機シリンダ５００の右上の給気逆止弁５２０が圧縮機シリンダ５００の内部に負圧が形成されるため、圧縮機シリンダ５００の右上の給気逆止弁５２０が開放され、気体や、流体等が圧縮機シリンダ５００の右上の給気逆止弁５２０を介して圧縮機シリンダ５００内に供給されるようになる。
【００４０】
引き続き、第２のコイルユニット１４０に電流を印加する時に、第２の磁極２２０により、可動子３００が両側のピストン５１０を右向きに圧縮させて連動させるように引き付けられることによって、両側の圧縮機シリンダ５００の右下の排気逆止弁５３０が開放され、圧縮された気体や、流体等を圧縮機シリンダ５００の右下の排気逆止弁５３０から排出させる。同時に、両側の圧縮機シリンダ５００の左上の給気逆止弁５２０が圧縮機シリンダ５００の内部に負圧が形成されるため、圧縮機シリンダ５００の左上の給気逆止弁５２０が開放され、気体や、流体等が圧縮機シリンダ５００の左上の給気逆止弁５２０を介して圧縮機シリンダ５００内に供給されるようになる。
【００４１】
そのため、この突極型リニアモータの可動子３００の往復直線運動により、ピストン５１０運動時に発生する側方力を低減させることができるだけでなく、摩擦損耗も減らすことができることから、高機械強度、低機械損耗、低ノイズ及び高効率が達成される。本発明のリニアモータ往復式ダブルピストン圧縮機を連動するように設計してもよく、高低圧圧縮機の様式に設計しもよい。また、電気自動車の冷房、除湿機、清涼飲料機、氷水機械、各種の電気冷蔵庫、家庭用冷房、各種の冷凍圧縮機、各種の家庭電気製品、空気圧縮機、各種の空気調和圧縮機、工業用圧縮機や往復運動する圧縮システムを必要とする駆動源等に応用される。
【００４２】
また、図６Ａ、図６Ｂを参照すると、一組の両端に圧縮機シリンダ５００が連結される突極型リニアモータによる振動を防止するために、両組の両端に圧縮機シリンダ５００が連結される突極型リニアモータを互いにシリアル接続し、両組のピストン５１０を相対的に運動するように配置することにより、ピストン５１０による往復運動から生じる振動を相殺することから、力平衡になって制振機能が達成される。
【００４３】
図７は、本発明の突極型リニアモータにおいて末端の磁気力を増強する状態の概略透視図を示す。図７を参照すると、８個の突極３１０の可動子３００を例として、第２の磁極２２０の前端には、さらに第４の磁極２３０が設置されるとともに、第４のコイルユニット１６０は、第４の磁極２３０の上に巻き付けられる。また、第１の磁極２１０の末端には、さらに第５の磁極２４０が設置されるとともに、第５のコイルユニット１７０は、第５の磁極２４０の上に巻き付けられる。
【００４４】
続いて、第１のコイルユニット１３０及び第４のコイルユニット１６０に電流を同時に印加する時に、第１の磁極２１０及び第４の磁極２３０により、可動子３００が固定子の中心軸向きに沿って第１の磁極２１０及び第４の磁極２３０の位置に向けて移動するように引き付けられる。逆に、第２のコイルユニット１４０及び第５のコイルユニット１７０に電流を同時に印加する時に、第２の磁極２２０及び第５の磁極２４０により、可動子３００が固定子の中心軸向きに沿って第２の磁極２２０及び第５の磁極２４０の位置に向けて移動するように引き付けられる。
【００４５】
そのため、第４の磁極２３０及び第５の磁極２４０を突極型リニアモータの前端及び末端にそれぞれ設置することで、前端及び末端の磁気力を増強することにより、モータの両端の固定位置の駆動力を高めることができる。
【符号の説明】
【００４６】
１００  中間の固定子鉄心
１０１  第１の磁極ユニット
１０２  第２の磁極ユニット
１１０  前固定子鉄心
１１１  第３の磁極ユニット
１２０  後固定子鉄心
１２１  第４の磁極ユニット
１３０  第１のコイルユニット
１４０  第２のコイルユニット
１５０  第３のコイルユニット
１６０  第４のコイルユニット
１７０  第５のコイルユニット
２００  第３の磁極
２１０  第１の磁極
２２０  第２の磁極
２３０  第４の磁極
２４０  第５の磁極
３００  可動子
３１０  突極
３２０  軸杆
４００  筐体
４１０  放熱体
４２０  蓋体
４３０  ねじ
５００  圧縮機シリンダ
５１０  ピストン
５２０  給気逆止弁
５３０  排気逆止弁
【図１】
2014036569.tif 000003
【図２】
2014036569.tif 000004
【図３Ａ】
2014036569.tif 000005
【図３Ｂ】
2014036569.tif 000006
【図４Ａ】
2014036569.tif 000007
【図４Ｂ】
2014036569.tif 000008
【図４Ｃ】
2014036569.tif 000009
【図５】
2014036569.tif 000010
【図６Ａ】
2014036569.tif 000011
【図６Ｂ】
2014036569.tif 000012
【図７】
2014036569.tif 000013